(57)【要約】【課題】出荷前において最適な車載装置の画面調整方法、およびその画面調整方法を利用可能な車載装置を提供する。【解決手段】車載装置１と接続された調整制御装置２から車載装置１に対して、調整用画面を表示モニタ１８に表示させるための調整コマンドを送信する。車載装置１では、この調整コマンドに応じて、予め記憶された調整用画面データに基づく表示制御信号を表示制御部１７から表示モニタ１８へ出力することにより、表示モニタ１８に調整用画面を表示する。そして、この表示制御信号に基づいて、黒レベルおよび白レベルの調整、水平位置および垂直位置の調整、および滲みの調整を表示制御部１７において順次実行することにより、車載装置１の画面調整を行う。【選択図】図１
2012163883.tif 000002
【特許請求の範囲】
【請求項１】
表示モニタと、前記表示モニタにおける画面表示を制御する表示制御手段とを有する車載装置の画面調整方法であって、
前記車載装置と接続された調整制御装置から前記車載装置に対して、所定の調整用画面を前記表示モニタに表示させるための指令を送信し、
前記指令に応じて、予め記憶された調整用画面データに基づく表示制御信号を前記表示制御手段から前記表示モニタへ出力することにより、前記表示モニタに前記調整用画面を表示し、
前記表示制御信号に基づいて複数の調整項目を前記表示制御手段において順次実行することにより、前記車載装置の画面調整を行い、
前記調整用画面は、黒および白のレベルを調整するためのホワイトバランス調整用領域と、水平位置および垂直位置を調整するための水平垂直位置調整用領域と、滲みを調整するための位相調整用領域とを含むことを特徴とする車載装置の画面調整方法。
【請求項２】
請求項１に記載の車載装置の画面調整方法において、
前記車載装置は、前記画面調整を実行中である旨を示す第１の報知を行うと共に、前記画面調整を完了した旨を示す第２の報知、または前記画面調整に失敗した旨と対応する調整項目とを示す第３の報知のいずれか一方を行うことを特徴とする車載装置の画面調整方法。
【請求項３】
請求項１または２に記載の車載装置の画面調整方法において、
前記表示制御手段は、
前記調整用画面のうち前記ホワイトバランス調整用領域に対応する前記表示制御信号に基づいて、黒レベルの調整を行い、
前記黒レベルの調整後に、前記調整用画面のうち前記ホワイトバランス調整用領域に対応する前記表示制御信号に基づいて、白レベルの調整を行い、
前記白レベルの調整後に、または前記黒レベルの調整前に、前記調整用画面のうち前記水平垂直位置調整用領域に対応する前記調整用信号に基づいて、水平位置および垂直位置の調整を行い、
前記白レベルの調整後であって前記水平位置および垂直位置の調整後に、前記調整用画面のうち前記位相調整用領域に対応する前記表示制御信号に基づいて、滲みの調整を行うことを特徴とする車載装置の画面調整方法。
【請求項４】
表示モニタと、
前記表示モニタにおける画面表示を制御する表示制御手段と、
所定の調整用画面を前記表示モニタにおいて表示するための調整用画面データを記憶する記憶手段とを備え、
前記表示制御手段は、前記記憶手段に記憶された前記調整用画面データに基づく表示制御信号を前記表示モニタへ出力し、
前記表示モニタは、前記表示制御手段から出力された前記表示制御信号に基づいて、前記調整用画面を表示し、
前記調整用画面は、黒および白のレベルを調整するためのホワイトバランス調整用領域と、水平位置および垂直位置を調整するための水平垂直位置調整用領域と、滲みを調整するための位相調整用領域とを含むことを特徴とする車載装置。
【発明の詳細な説明】
【技術分野】
【０００１】
本発明は、車載装置の画面調整方法および車載装置に関する。
【背景技術】
【０００２】
従来、周囲の明るさに応じて表示画面を調整可能な車両用ナビゲーション装置が知られている（特許文献１参照）。
【先行技術文献】
【特許文献】
【０００３】
【特許文献１】特開２０００−１０５４３号公報
【発明の概要】
【発明が解決しようとする課題】
【０００４】
ところで、ナビゲーション装置のような画面表示を行う車載装置においては、個体間の部品特性のばらつきなどにより、製造直後の状態では必ずしも最適な表示画面が得られない場合がある。したがって、車載装置の製造メーカでは、出荷前に表示画面を最適な状態に調整することが好ましい。しかし、特許文献１に記載された方法は、周囲の明るさに応じて表示画面を調整するものであるため、出荷前の画面調整に適したものではない。
【課題を解決するための手段】
【０００５】
本発明による車載装置の画面調整方法は、表示モニタと、表示モニタにおける画面表示を制御する表示制御手段とを有する車載装置の画面調整方法であって、車載装置と接続された調整制御装置から車載装置に対して、所定の調整用画面を表示モニタに表示させるための指令を送信し、この指令に応じて、予め記憶された調整用画面データに基づく表示制御信号を表示制御手段から表示モニタへ出力することにより、表示モニタに調整用画面を表示し、表示制御信号に基づいて複数の調整項目を表示制御手段において順次実行することにより、車載装置の画面調整を行い、調整用画面は、黒および白のレベルを調整するためのホワイトバランス調整用領域と、水平位置および垂直位置を調整するための水平垂直位置調整用領域と、滲みを調整するための位相調整用領域とを含むものである。
本発明による車載装置は、表示モニタと、表示モニタにおける画面表示を制御する表示制御手段と、所定の調整用画面を表示モニタにおいて表示するための調整用画面データを記憶する記憶手段とを備え、表示制御手段は、記憶手段に記憶された調整用画面データに基づく表示制御信号を表示モニタへ出力し、表示モニタは、表示制御手段から出力された表示制御信号に基づいて調整用画面を表示し、調整用画面は、黒および白のレベルを調整するためのホワイトバランス調整用領域と、水平位置および垂直位置を調整するための水平垂直位置調整用領域と、滲みを調整するための位相調整用領域とを含むものである。
【発明の効果】
【０００６】
本発明によれば、出荷前において最適な車載装置の画面調整方法、およびその画面調整方法を利用可能な車載装置を提供することができる。
【図面の簡単な説明】
【０００７】
【図１】本発明の一実施形態による画面調整システムの構成図である。
【図２】表示制御部のブロック図である。
【図３】調整制御装置により実行されるフローチャートである。
【図４】車載装置により実行されるフローチャートである。
【発明を実施するための形態】
【０００８】
本発明の一実施の形態による画面調整システムの構成を図１に示す。この画面調整システムは、車載装置１と、車載装置１と接続された調整制御装置２とによって構成される。図１の画面調整システムは、車載装置１の製造メーカにおいて、車載装置１を出荷する前に、製造工程における画面調整を行うために使用されるものである。
【０００９】
車載装置１は、図１の画面調整システムを用いて画面調整を行った後に製造メーカから出荷される。出荷後の車載装置１は、車両に搭載されて使用され、当該車両（以下、自車両と称する）を設定された目的地まで案内するためのナビゲーション処理や、外部のＴＶチューナやＤＶＤドライブ等から入力される映像信号に基づく映像表示処理などを行う。一方、調整制御装置２は、製造メーカにおいて車載装置１の生産ライン内に据え付けられており、画面調整時に車載装置１と接続されて使用される。調整制御装置２は、たとえばパーソナルコンピュータやマイクロコンピュータなどによって実現される。
【００１０】
車載装置１は、制御部１０、メモリカード１３、ＧＰＳ（Global Positioning System）受信部１４、入力装置１５、スピーカ１６、表示制御部１７および表示モニタ１８を備える。以下、これらの各部について、車載装置１が自車両に搭載されて使用される際の動作を中心に説明する。
【００１１】
制御部１０は、マイクロプロセッサや各種周辺回路、ＲＡＭ、ＲＯＭ等によって構成されており、メモリカード１３に記録されている制御プログラムや地図データに基づいて、各種の処理を実行する。この制御部１０により、前述のナビゲーション処理を車載装置１において実現するための様々な処理や制御が実行される。たとえば、ナビゲーション処理に関する処理として、目的地を設定する際の目的地の探索処理、設定された目的地までの推奨経路の探索処理、自車両の位置検出処理、各種の画像生成処理、ルート案内時の音声出力処理などが制御部１０において実行される。
【００１２】
メモリカード１３はフラッシュメモリ等を用いて構成される不揮発性の記録媒体であり、制御部１０において上記のような処理を実行するための制御プログラムや地図データなどが記録されている。メモリカード１３に記録されているデータは、必要に応じて制御部１０の制御により読み出され、制御部１０が実行する様々な処理や制御に利用される。
【００１３】
メモリカード１３に記録された地図データは、経路計算データと、道路データと、背景データとを含む。経路計算データは、目的地までの推奨経路を探索する際などに用いられるデータである。道路データは、道路の形状や種別などを表すデータである。なお、地図データにおいて各道路の最小単位はリンクと呼ばれている。すなわち、地図データにおいて各道路は複数のリンクにより構成される。背景データは、地図の背景を表すデータである。なお、地図の背景とは、地図上に存在する道路以外の様々な構成物である。たとえば、河川、鉄道、緑地帯、各種構造物などが背景データによって表される。
【００１４】
なお、上記では車載装置１において地図データがメモリカード１３に記録されている例を説明したが、これらをメモリカード以外の記録媒体に記録することとしてもよい。たとえば、ＣＤ−ＲＯＭやＤＶＤ−ＲＯＭ、ハードディスクなどに記録された地図データを用いることができる。すなわち、本実施の形態による車載装置では、どのような記録媒体を用いてこれらのデータを記憶してもよい。
【００１５】
ＧＰＳ受信部１４は、ＧＰＳ衛星から送信されるＧＰＳ信号を受信して制御部１０へ出力する。ＧＰＳ信号には、自車両の位置を求めるための情報として、そのＧＰＳ信号を送信したＧＰＳ衛星の位置と送信時刻に関する情報が含まれている。したがって、所定数以上のＧＰＳ衛星からＧＰＳ信号を受信することにより、これらの情報に基づいて、自車位置を制御部１０において算出することができる。このＧＰＳ信号に基づく自車位置の算出結果により、所定時間ごとに自車位置が検出される。
【００１６】
入力装置１５は、車載装置１を動作させるための様々な入力操作をユーザが行うための装置であり、各種の入力スイッチ類を有している。ユーザは、入力装置１５を操作することにより、たとえば、自車両の目的地に設定したい施設や地点の名称等を入力したり、予め登録された登録地の中から目的地を選択したり、地図を任意の方向にスクロールしたりすることができる。この入力装置１５は、たとえば操作パネルやリモコンなどによって実現することができる。あるいは、入力装置１５を表示モニタ１８と一体化されたタッチパネルとしてもよい。
【００１７】
ユーザが入力装置１５を操作して目的地を設定すると、車載装置１は、前述のようにして検出された自車位置を出発地として、前述の経路計算データに基づいて所定のアルゴリズムの演算によるルート探索処理を行う。このルート探索処理により、出発地から目的地まで至る推奨経路が探索されると、探索された推奨経路にしたがってルート案内が行われ、自車両が目的地まで誘導される。
【００１８】
スピーカ１６は、制御部１０から出力される音声信号に基づいて、ナビゲーション処理に関する各種の音声を出力する。たとえば、推奨経路に従って自車両を目的地まで案内するための経路案内用の音声や、各種の警告音などがスピーカ１６より出力される。また、外部のＴＶチューナやＤＶＤドライブ等から映像信号と共に入力される音声信号を用いて、スピーカ１６から音声を出力することもできる。
【００１９】
表示制御部１７は、制御部１０から出力される画像信号や、外部のＴＶチューナやＤＶＤドライブ等から入力される映像信号に基づいて、各種の画像や映像を表示モニタ１８において表示するための表示制御信号を表示モニタ１８へ出力する。表示モニタ１８は、液晶ディスプレイ等を用いて構成されており、表示制御部１７から出力される表示制御信号に基づいて、各種の画像や映像を表示することができる。たとえば、ナビゲーション処理に関する画像として、自車位置付近の地図画像や、自車両前方の案内交差点における進行方向の指示画像などを表示したり、ＴＶ映像やＤＶＤの再生映像などを表示したりする。なお、表示モニタ１８は、たとえば自車両のダッシュボード上やインストルメントパネル内など、ユーザが見やすいような位置に設置されている。
【００２０】
次に、図２のブロック図を用いて、表示制御部１７の詳細な動作について説明する。制御部１０より出力されたＲ（赤），Ｇ（緑），Ｂ（青）の各画像信号は、表示制御部１７において、ＡＤコンバータ２１，２２および２３により、それぞれアナログ信号からデジタル信号に変換される。変換後の各画像信号はセレクタ２７へ入力される。また、外部より入力された映像信号は、表示制御部１７において、ＡＤコンバータ２４によりアナログ信号からデジタル信号に変換された後、ＡＧＣ部２５へ入力される。ＡＧＣ部２５は、入力された映像信号の利得を調節し、ビデオデコーダ２６へ出力する。ビデオデコーダ２６は、この映像信号をＲ，Ｇ，Ｂの各映像信号に変換し、セレクタ２７へ出力する。
【００２１】
セレクタ２７は、入力されたＲ，Ｇ，Ｂの各画像信号または各映像信号のいずれかを選択し、ＲＧＢゲイン調節部２８へ出力する。なお、セレクタ２７より画像信号と映像信号のいずれを出力するかは、入力装置１５の操作によりユーザが任意に選択することができる。ＲＧＢゲイン調節部２８は、セレクタ２７より入力されたＲ，Ｇ，Ｂの各画像信号または各映像信号の利得を調節した後、画像処理部２９へ出力する。
【００２２】
画像処理部２９は、ＲＧＢゲイン調節部２８より入力されたＲ，Ｇ，Ｂの各画像信号または各映像信号に基づいて所定の画像処理を行う。たとえば、明るさ、色合い、色相、コントラスト等の調節や、ガンマ補正などが画像処理部２９において行われる。このとき、ＯＳＤ制御部３０からの指令に基づいて、所定の文字や図形を画像または映像の上に重ねて表示するための処理が必要に応じて行われる。画像処理部２９による画像処理の結果は、Ｒ，Ｇ，Ｂの各表示制御信号により、画像処理部２９からＤＡコンバータ３１，３２および３３へそれぞれ出力される。
【００２３】
ＤＡコンバータ３１，３２および３３は、画像処理部２９から出力されたＲ，Ｇ，Ｂの各表示制御信号をデジタル信号からアナログ信号に変換し、表示モニタ１８へ出力する。同期信号発生部３４は、Ｒ，Ｇ，Ｂの各表示制御信号に対する同期信号を発生し、表示モニタ１８へ出力する。
【００２４】
表示モニタ１８は、上記のようにして表示制御部１７から出力されるＲ，Ｇ，Ｂの各表示制御信号および同期信号に基づいて、前述したような様々な画像や映像を表示することができる。
【００２５】
次に、図１の画面調整システムを用いた画面調整の詳細について説明する。前述したように、車載装置１の製造メーカでは出荷前の製造工程において、図１の画面調整システムを用いて画面調整が行われる。このとき、作業者によって車載装置１と調整制御装置２とが接続されて所定の操作が行われると、調整制御装置２において図３のフローチャートに示す処理が実行されることにより、車載装置１の画面調整が開始される。
【００２６】
ステップＳ１０において、調整制御装置２は、車載装置１へステータスコマンドを送信する。ここで送信されるステータスコマンドは、車載装置１の表示制御部１７に対して、その状態を示すステータス値を出力させるための指令である。
【００２７】
ステップＳ１０において送信されたステータスコマンドが車載装置１により受信されると、後述する図４のステップＳ１２０において、表示制御部１７からステータス値が送信される。ステップＳ２０において、調整制御装置２は、表示制御部１７から送信されたステータス値を受信する。
【００２８】
ステップＳ３０において、調整制御装置２は、ステップＳ２０で受信したステータス値に基づいて、画面調整を未実施であるか否かを判定する。受信したステータス値が画面調整を未実施であることを示す所定の値である場合、調整制御装置２はステップＳ４０へ進む。一方、受信したステータス値がそれ以外の値である場合、画面調整を実施済みであると調整制御装置２は判定して、図３のフローチャートを終了する。この場合、車載装置１において画面調整は行われない。
【００２９】
ステップＳ４０において、調整制御装置２は、車載装置１へ自動調整コマンドを送信する。ここで送信される自動調整コマンドは、車載装置１の表示制御部１７に対して、後述するような調整用画面を表示モニタ１８に表示させて画面調整を開始させるための指令である。すなわち、ステップＳ４０において調整制御装置２から送信される自動調整コマンドに応じて表示制御部１７が実行する処理により、表示モニタ１８において調整用画面が表示され、車載装置１の画面調整が開始される。この処理の具体的な内容については、図４のフローチャートにより後で詳しく説明する。
【００３０】
ステップＳ５０において、調整制御装置２は、画面調整中における表示制御部１７の状態を示すステータス値を表示制御部１７から出力させるために、ステップＳ１０で送信したのと同様のステータスコマンドを車載装置１へ送信する。
【００３１】
ステップＳ５０において送信されたステータスコマンドが車載装置１により受信されると、表示制御部１７から画面調整中におけるステータス値が送信される。このステータス値には、後述する各調整項目のうちどの調整項目を終了したかを示す情報と、終了した調整項目の結果が正常（ＯＫ）または異常（ＮＧ）のいずれであったかを示す情報とが含まれている。ステップＳ６０において、調整制御装置２は、表示制御部１７から送信されたステータス値を受信する。
【００３２】
ステップＳ７０において、調整制御装置２は、ステップＳ６０で受信したステータス値が正常な値であるか否かを判定する。ステータス値が正常である場合、すなわち表示制御部１７において終了した調整項目の結果が全て正常であった場合は、ステップＳ８０へ進む。一方、ステータス値が異常である場合、すなわち表示制御部１７において終了した調整項目のうちいずれか少なくとも一つの結果が異常であった場合は、ステップＳ９０へ進む。
【００３３】
ステップＳ８０において、調整制御装置２は、ステップＳ６０で受信したステータス値に基づいて、全ての調整項目が完了したか否かを判定する。受信したステータス値において全ての調整項目の結果が正常であることが示されている場合、調整制御装置２は全ての調整項目が完了したと判定し、ステップＳ９０へ進む。一方、いずれかの調整項目がまだ完了していない場合、調整制御装置２はステップＳ５０へ戻り、ステップＳ５０〜Ｓ８０の処理を繰り返す。
【００３４】
なお、ステップＳ５０〜Ｓ８０の処理は所定の周期、たとえば１秒周期で繰り返し実行することが好ましい。このようにすれば、画面調整中に表示制御部１７から調整制御装置２へ所定の周期ごとにステータス値が送信されるため、いずれかの調整項目について結果が異常であった場合に、そのことを作業者に対して即時に知らせることができる。
【００３５】
ステップＳ９０において、調整制御装置２は、車載装置１へ調整終了コマンドを送信する。ここで送信される調整終了コマンドは、車載装置１の表示制御部１７に対して画面調整を終了させるための指令である。すなわち、ステップＳ９０において調整制御装置２から調整終了コマンドが送信されると、それに応じて、車載装置１の画面調整が中断（ステップＳ７０においてステータス値が異常であると判定された場合）、または完了（ステップＳ８０において全ての調整項目が完了したと判定した場合）される。
【００３６】
ステップＳ９０を実行したら、調整制御装置２は図３のフローチャートを終了する。以上説明したような処理が調整制御装置２において実行されることにより、車載装置１の画面調整が行われる。
【００３７】
次に、車載装置１の画面調整時に表示制御部１７において実行される処理について説明する。調整制御装置２において図３のフローチャートに示す処理が前述のようにして実行されると、それに応じて、表示制御部１７において図４のフローチャートに示す処理が実行される。なお、この処理は、たとえば表示制御部１７に内蔵された不図示のマイクロコンピュータ等により実行してもよいし、あるいは、制御部１０の制御により実行するようにしてもよい。
【００３８】
ステップＳ１１０において、表示制御部１７は、調整制御装置２からステータスコマンドを受信したか否かを判定する。前述のように図３のステップＳ１０が実行されることにより、調整制御装置２から表示制御部１７に対してステータスコマンドが送信された場合は、ステップＳ１２０へ進む。
【００３９】
ステップＳ１２０において、表示制御部１７は、ステップＳ１１０で受信したステータスコマンドに応じて、そのときの表示制御部１７の状態を示すステータス値を調整制御装置２へ送信する。ここでは、表示制御部１７において画面調整が未実施であるか否かを示す情報をステータス値として送信する。
【００４０】
ステップＳ１３０において、表示制御部１７は、調整制御装置２から自動調整コマンドを受信したか否かを判定する。前述のように図３のステップＳ４０が実行されることにより、調整制御装置２から表示制御部１７に対して自動調整コマンドが送信された場合、これに応じて表示制御部１７はステップＳ１４０へ進み、画面調整を開始する。
【００４１】
ステップＳ１４０において、表示制御部１７は、所定の調整用画面を表示モニタ１８に表示する。この調整用画面は、以下に説明するような第１〜第８の各領域を含んでいる。
【００４２】
第１領域は、画面の水平位置および垂直位置を調整するための領域である。この第１領域は、たとえば調整用画面の左端および上端において、所定の幅、たとえば表示モニタ１８の１画素（１ドット）分の幅を有する白線によって構成される。画面の水平位置および垂直位置を調整する場合、表示制御部１７は、図２の同期信号発生部３４における同期信号の出力タイミング等を調整することで、調整用画面内で第１領域の横方向および縦方向の位置が正しくなるように調整する。
【００４３】
第２領域は、画面の滲みを調整するための領域である。この第２領域は、所定の幅、たとえば表示モニタ１８の１画素（１ドット）分の幅をそれぞれ有する、たとえば白線および黒線の繰り返しパターンによって構成される。画面の滲みを調整する場合、表示制御部１７は、ＤＡコンバータ３１〜３３におけるＲ，Ｇ，Ｂ各表示制御信号の位相などを調整することで、調整用画面内で第２領域の各白線および各黒線の輪郭が明確に表示されるように調整する。
【００４４】
第３領域および第４領域は、画面の黒および白のレベルを調整するための領域である。第３領域は白一色の領域であり、白のレベルを調整するために用いられる。一方、第４領域は黒一色の領域であり、黒のレベルを調整するために用いられる。画面の黒および白のレベルを調整する場合、表示制御部１７は、ＡＤコンバータ２１〜２３におけるＲ，Ｇ，Ｂ各画像信号の変換特性、ＲＧＢゲイン調節部２８におけるＲ，Ｇ，Ｂ各画像信号の利得特性、ＤＡコンバータ３１〜３３におけるＲ，Ｇ，Ｂ各表示制御信号の出力特性などを調整することで、調整用画面内で第３領域および第４領域がそれぞれ正しい色合いで表示されるように調整する。
【００４５】
第５領域〜第８領域も上記の第３領域および第４領域と同様に、画面の黒および白のレベルを調整するための領域である。第５領域〜第７領域は、Ｒ，ＧおよびＢの各色がそれぞれ低輝度側から高輝度側にグラデーション状に変化している領域であり、Ｒ，ＧおよびＢの各表示制御信号の変化の様子をそれぞれ表している。また第８領域は、明るさがグラデーション状に変化している無彩色の領域であり、第５領域〜第７領域の各色情報を合成した領域に相当する。すなわち、Ｒ，ＧおよびＢの各表示制御信号の合成信号の変化の様子を表している。画面の黒および白のレベルを調整する場合、表示制御部１７は、上記の第３領域および第４領域に加えて第５領域〜第８領域についても、それぞれが調整用画面内で正しい明るさと色合いで表示されるように調整する。
【００４６】
なお、上記の黒レベルおよび白レベルの調整は、ホワイトバランス調整とも言われる。すなわち、Ｒ，ＧおよびＢの各表示制御信号の出力バランスを調整することで、画面の明るさと色合いを調整するものである。
【００４７】
以上説明したような調整用画面は、予め記憶された調整用画面データに基づく表示制御信号を表示制御部１７から表示モニタ１８へ出力することにより、表示モニタ１８において表示される。なお、調整用画面データは、たとえばフラッシュメモリ等によって実現される不図示の記憶装置において記憶される。このフラッシュメモリは、表示制御部１７に内蔵されていてもよいし、表示制御部１７の外部に設けられていてもよい。あるいは、メモリカード１３に調整用画面データを記憶してもよい。
【００４８】
ステップＳ１５０において、表示制御部１７は、画面調整を実行中であることを示す調整中表示を表示モニタ１８において行う。この調整中表示は、表示制御部１７においてＯＳＤ制御部３０の制御により、たとえば調整用画面の上に所定の文字を重ねて表示することによって行われる。こうして調整中表示を行うことにより、画面調整を実行中である旨が作業者に対して報知される。
【００４９】
ステップＳ１６０において、表示制御部１７は、黒レベルの調整を行う。ここでは前述したように、調整用画面のうち第３領域〜第８領域を用いて画面の黒レベルを調整する。すなわち、第３領域〜第８領域に対応する表示制御信号に基づいて、ＡＤコンバータ２１〜２３におけるＲ，Ｇ，Ｂ各画像信号の変換特性、ＲＧＢゲイン調節部２８におけるＲ，Ｇ，Ｂ各画像信号の利得特性、ＤＡコンバータ３１〜３３におけるＲ，Ｇ，Ｂ各表示制御信号の出力特性などを調整することで、黒レベルの調整を行う。
【００５０】
ステップＳ１７０において、表示制御部１７は、ステップＳ１６０の調整結果が正常であったか否かを判定する。調整結果が正常であった場合はステップＳ１８０へ進む。一方、第３領域〜第８領域に対応する表示制御信号が調整可能な範囲を超えているなどの原因により、正常な調整結果が得られなかった場合は、ステップＳ２５０へ進む。
【００５１】
ステップＳ１８０において、表示制御部１７は、白レベルの調整を行う。ここでは前述したように、調整用画面のうち第３領域〜第８領域を用いて画面の白レベルを調整する。すなわち、第３領域〜第８領域に対応する表示制御信号に基づいて、ＡＤコンバータ２１〜２３におけるＲ，Ｇ，Ｂ各画像信号の変換特性、ＲＧＢゲイン調節部２８におけるＲ，Ｇ，Ｂ各画像信号の利得特性、ＤＡコンバータ３１〜３３におけるＲ，Ｇ，Ｂ各表示制御信号の出力特性などを調整することで、白レベルの調整を行う。
【００５２】
なお、ステップＳ１６０における黒レベルの調整と、ステップＳ１８０における白レベルの調整とは、このような順序で行うことが好ましい。すなわち、先に黒レベルの調整を行うことで、Ｒ，Ｇ，Ｂ各表示制御信号の最低値（ゼロレベル）を規定する。その後に白レベルの調整を行うことで、先に規定した最低値を基準としたＲ，Ｇ，Ｂ各表示制御信号の最高値（Ｖｐｐレベル）を調整する。このようにすれば、画面の色合いを正しく調整することができる。
【００５３】
ステップＳ１９０において、表示制御部１７は、ステップＳ１８０の調整結果が正常であったか否かを判定する。調整結果が正常であった場合はステップＳ１９０へ進む。一方、第３領域〜第８領域に対応する表示制御信号が調整可能な範囲を超えているなどの原因により、正常な調整結果が得られなかった場合は、ステップＳ２５０へ進む。
【００５４】
ステップＳ２００において、表示制御部１７は、水平位置および垂直位置の調整を行う。ここでは前述したように、調整用画面のうち第１領域を用いて画面の水平位置および垂直位置を調整する。すなわち、第１領域に対応する表示制御信号に基づいて、同期信号発生部３４における同期信号の出力タイミング等を調整することで、水平位置および垂直位置の調整を行う。
【００５５】
ステップＳ２１０において、表示制御部１７は、ステップＳ２００の調整結果が正常であったか否かを判定する。調整結果が正常であった場合はステップＳ２２０へ進む。一方、第１領域に対応する表示制御信号が調整可能な範囲を超えているなどの原因により、正常な調整結果が得られなかった場合は、ステップＳ２５０へ進む。
【００５６】
ステップＳ２２０において、表示制御部１７は、滲みの調整を行う。ここでは前述したように、調整用画面のうち第２領域を用いて画面の滲みを調整する。すなわち、第２領域に対応する表示制御信号に基づいて、ＤＡコンバータ３１〜３３におけるＲ，Ｇ，Ｂ各表示制御信号の位相などを調整することで、滲みの調整を行う。
【００５７】
ステップＳ２３０において、表示制御部１７は、ステップＳ２２０の調整結果が正常であったか否かを判定する。調整結果が正常であった場合はステップＳ２４０へ進む。一方、第２領域に対応する表示制御信号が調整可能な範囲を超えているなどの原因により、正常な調整結果が得られなかった場合は、ステップＳ２５０へ進む。
【００５８】
なお、ステップＳ１６０における黒レベルの調整およびステップＳ１８０における白レベルの調整と、ステップＳ２００における水平位置および垂直位置の調整とは、互いに順序を入れ替えて実行してもよい。すなわち、水平位置および垂直位置の調整は、白レベルの調整後に、または黒レベルの調整前に行うことができる。一方、ステップＳ２２０における滲みの調整は、Ｒ，Ｇ，Ｂ各表示制御信号の位相を微調整する必要があるため、他の各調整が終わった後に実行することが好ましい。すなわち、滲みの調整は、白レベルの調整後であって水平位置および垂直位置の調整後に実行することが好ましい。このようにすれば、各調整を的確に行うことができる。
【００５９】
ステップＳ２４０において、表示制御部１７は、画面調整を完了したことを示す調整完了表示を表示モニタ１８において行う。この調整完了表示は、表示制御部１７においてＯＳＤ制御部３０の制御により、たとえば調整用画面の上に所定の文字を重ねて表示することによって行われる。こうして調整完了表示を行うことにより、画面調整を完了した旨が作業者に対して報知される。
【００６０】
ステップＳ２５０において、表示制御部１７は、画面調整に失敗したことを示す調整失敗表示を表示モニタ１８において行う。ここでは、前述したような各調整項目、すなわちステップＳ１６０における黒レベルの調整、ステップＳ１８０における白レベルの調整、ステップＳ２００における水平位置および垂直位置の調整、およびステップＳ２２０における滲みの調整のうち、いずれの調整項目が失敗したかを合わせて表示する。この調整失敗表示は、表示制御部１７においてＯＳＤ制御部３０の制御により、たとえば調整用画面の上に所定の文字と、失敗した調整項目の名称とを重ねて表示することによって行われる。こうして調整失敗表示を行うことにより、画面調整に失敗した旨と対応する調整項目とが作業者に対して報知される。
【００６１】
ステップＳ２４０またはステップＳ２５０の処理を実行したら、表示制御部１７はステップＳ２６０へ進む。ステップＳ２６０において、表示制御部１７は、調整制御装置２から調整終了コマンドを受信したか否かを判定する。前述のように図３のステップＳ９０が実行されることにより、調整制御装置２から表示制御部１７に対して調整終了コマンドが送信された場合、これに応じて表示制御部１７は図４のフローチャートを終了する。このとき、ステップＳ１４０で表示した調整用画面を表示モニタ１８から消去すると共に、ステップＳ２４０で行った調整完了表示またはステップＳ２５０で行った調整失敗表示を終了する。以上説明したようにして、車載装置１の画面調整が行われる。
【００６２】
なお、図４のフローチャートにおいてステップＳ１４０〜Ｓ２６０の処理を実行している間に、図３のステップＳ５０が実行されることにより、調整制御装置２から車載装置１へステータスコマンドが送信される場合がある。このような場合、表示制御部１７は、そのステータスコマンドに応じて、画面調整中におけるステータス値を調整制御装置２へ送信する。ここでは、表示制御部１７においてどの調整項目を終了したかを示す情報と、終了した調整項目の結果が正常または異常のいずれであったかを示す情報とをステータス値として送信する。
【００６３】
以上説明した実施の形態によれば、次の作用効果を奏する。
【００６４】
（１）図１の画面調整システムにおいて、車載装置１と接続された調整制御装置２から車載装置１に対して、調整用画面を表示モニタ１８に表示させるための調整コマンドを送信する（ステップＳ４０）。車載装置１では、この調整コマンドに応じて、予め記憶された調整用画面データに基づく表示制御信号を表示制御部１７から表示モニタ１８へ出力することにより、表示モニタ１８に調整用画面を表示する。そして、この表示制御信号に基づいて、複数の調整項目、すなわち黒レベルおよび白レベルの調整（ステップＳ１６０、Ｓ１８０）、水平位置および垂直位置の調整（ステップＳ２００）、および滲みの調整（ステップＳ２２０）を表示制御部１７において実行することにより、車載装置１の画面調整を行う。ここで、調整用画面は、黒および白のレベルを調整するための第３領域〜第８領域と、水平位置および垂直位置を調整するための第１領域と、滲みを調整するための第２領域とを含むこととした。これにより、出荷前において最適な車載装置１の画面調整方法、およびその画面調整方法を利用可能な車載装置１を提供することができる。
【００６５】
（２）車載装置１は、調整中表示を行うことにより、画面調整を実行中である旨を示す報知を作業者に対して行う（ステップＳ１５０）。さらに、調整完了表示または調整失敗表示を行うことにより、画面調整を完了した旨を示す報知、または画面調整に失敗した旨と対応する調整項目とを示す報知のいずれか一方を作業者に対して行う（ステップＳ２４０、Ｓ２５０）。このようにしたので、画面調整の状況を作業者に分かり易く知らせることができる。
【００６６】
（３）表示制御部１７は、ステップＳ１６０において、調整用画面のうち第３領域〜第８領域に対応する表示制御信号に基づいて黒レベルの調整を行い、その後にステップＳ１８０において、調整用画面のうち第３領域〜第８領域に対応する表示制御信号に基づいて白レベルの調整を行うことが好ましい。このようにすれば、画面の色合いを正しく調整することができる。
【００６７】
（４）ステップＳ２００における水平位置および垂直位置の調整は、調整用画面のうち第１領域に対応する表示制御信号に基づいて、ステップＳ１８０の白レベルの調整後に、またはステップＳ１６０の黒レベルの調整前に行うことができる。したがって、これらの調整を作業効率などに応じて任意の順序で実行することができる。
【００６８】
（５）ステップＳ２２０における滲みの調整は、調整用画面のうち第２領域に対応する表示制御信号に基づいて、ステップＳ１８０の白レベルの調整後であってステップＳ２００の水平位置および垂直位置の調整後に行うことが好ましい。このようにすれば、各調整を的確に行うことができる。
【００６９】
なお、以上説明した実施の形態において、調整制御装置２からの指令によらず、車載装置１単体で調整用画面を表示できるようにしてもよい。たとえば、車載装置１が車両に搭載された状態でユーザが所定の入力操作等を行うと、車載装置１において通常は表示されないＯＳ（Operating System）操作画面を表示モニタ１８に表示することができる。このＯＳ操作画面においてユーザが調整用画面データのファイルを指定すると、表示モニタ１８に調整用画面が表示される。このようにすれば、ユーザが任意のタイミングで車載装置１に画面調整を実行させることができる。なお、これ以外の方法を用いて調整用画面を表示できるようにしてもよい。
【００７０】
以上説明した実施の形態では、表示制御部１７が車載装置１に含まれていることとしたが、表示制御部１７と車載装置１を別々の構成としてもよい。
【００７１】
以上説明した実施の形態では、表示制御部１７により、制御部１０から出力される画像信号や、外部のＴＶチューナやＤＶＤドライブ等から入力される映像信号に基づいて、表示制御信号を表示モニタ１８へ出力し、各種の画像や映像を表示モニタ１８において表示する例を説明した。しかし、表示制御部１７において、画像信号と映像信号のいずれか一方のみに基づいて表示制御信号を表示モニタ１８へ出力するようにしてもよい。
【００７２】
以上説明した実施の形態や各種の変形例はあくまで一例であり、発明の特徴が損なわれない限り、本発明はこれらの内容に限定されるものではない。
【符号の説明】
【００７３】
１：車載装置、２：調整制御装置、１０：制御部、１３：メモリカード、１４：ＧＰＳ受信部、１５：入力装置、１６：スピーカ、１７：表示制御部、１８：表示モニタ
【図１】
2012163883.tif 000003
【図２】
2012163883.tif 000004
【図３】
2012163883.tif 000005
【図４】
2012163883.tif 000006